(57)【要約】【課題】通信系路上のどこで故障が発生しているかを容易に特定することができる通信障害特定方法及び通信障害特定装置を提供する。【解決手段】アナログ信号の立ち上がりエッジの電圧がリファレンス電圧の異なる二つのコンパレータの各リファレンス電圧をそれぞれ超えるまでにかかる時間を測定し、その時間に基づいてアナログ信号の出力側から通信障害が発生した箇所までの距離を特定することで、通信系路上のどこで故障が発生しているかを容易に特定することができる。【選択図】図１
2008182342.tif 000002
【特許請求の範囲】
【請求項１】
アナログ信号の立ち上がりエッジの電圧がリファレンス電圧の異なる二つのコンパレータの各リファレンス電圧をそれぞれ超えるまでにかかる時間を測定し、その時間に基づいて前記アナログ信号の出力側から通信障害が発生した箇所までの距離を特定することを特徴とする通信障害特定方法。
【請求項２】
あらかじめリファレンス電圧が設定された設定テーブルに伝送線路にあったパラメータを設定し、設定したパラメータの範囲を超える結果が得られた場合にエラーを検出することを特徴とする請求項１に記載の通信障害特定方法。
【請求項３】
設定テーブルのパラメータを伝送距離に合わせて修正し、修正されるパラメータと、予め格納されたパラメータとの差が一定の範囲を超える結果が得られた場合にエラーを検出することを特徴とする請求項１または２に記載の通信障害特定方法。
【請求項４】
アナログ信号を出力する装置の通信障害特定装置において、
前記アナログ信号の出力電圧を参照するための第一のコンパレータと、
前記第一のコンパレータとは異なるリファレンス電圧が設定される第二のコンパレータと、
前記アナログ信号の立ち上がりエッジの電圧が前記第一及び第二のコンパレータの各リファレンス電圧をそれぞれ超えるまでにかかる時間を測定する時間測定回路とを有し、
前記各リファレンス電圧を超えるまでの時間差によって通信障害発生箇所が経路上のいずれにあるのかを特定することを特徴とする通信障害特定装置。
【請求項５】
アナログ信号を出力する装置の通信障害特定装置において、
前記アナログ信号の出力電圧を参照するための第一のコンパレータと、
前記第一のコンパレータとは異なるリファレンス電圧が設定される第二のコンパレータと、
それぞれのコンパレータに入力するリファレンス電圧を設定できる設定テーブルと、
前記アナログ信号の立ち上がりエッジの電圧が前記第一及び第二のコンパレータの各リファレンス電圧をそれぞれ超えるまでにかかる時間を測定する時間測定回路とを有し、
前記各リファレンス電圧を超えるまでの時間差によって通信障害発生箇所が経路上のいずれにあるのかを特定することを特徴とする通信障害特定装置。
【請求項６】
あらかじめリファレンス電圧が設定された設定テーブルに更に伝送線路にあったパラメータを設定し、設定したパラメータの範囲を超える結果が得られた場合にエラーを検出する結果判定回路を有することを特徴とする請求項４または５に記載の通信障害特定装置。
【請求項７】
設定テーブルのパラメータを伝送距離に合わせて修正するフィードバック回路を設け、修正されるパラメータと、前記設定テーブルに予め格納されたパラメータとの差が一定の範囲を超える結果が得られた場合にエラーを検出するようにしたことを特徴とする請求項４または５に記載の通信障害特定装置。
【発明の詳細な説明】
【技術分野】
【０００１】
本発明は、２点間の通信障害を特定する通信障害特定方法及び通信障害特定装置に関する。
【背景技術】
【０００２】
２点間の通信で故障を検出する方法として、出力装置からの出力信号をフィードバックし、そのフィードバックされた電圧をある閾値と比較することによって出力装置もしくは伝送線路上に障害があることを検出する技術がある。
たとえば、アナログ信号出力装置の経路及び装置故障を検出する技術（例えば、特許文献１参照。）や、デジタルアンプからの出力信号をフィードバックし閾値と比較して経路及び出力装置故障を検出する技術が挙げられる（例えば、特許文献２参照。）。
【０００３】
また、断線箇所の特定をする技術としては接地した配線と隣接する配線との間に矩形波パルス電圧を印加し、このパルスが往復する時間と電圧との関係より断線箇所を特定する技術（例えば、特許文献３参照。）や、一対の信号線に結合されて一対の信号線上での伝送信号の信号振幅を検出し、検出された信号振幅に基づいて故障発生を判定する技術（例えば、特許文献４参照。）が挙げられる。
【特許文献１】特開平０２−１５７９１５号公報
【特許文献２】特開２００６−１８７００２号公報
【特許文献３】特開平０９−１１５９７９号公報
【特許文献４】特許第２８０５１５１号公報
【発明の開示】
【発明が解決しようとする課題】
【０００４】
ところで、上述した従来技術において、装置構成によっては、信頼性を高めるために装置構成を２重化するなどの対策を行っている。また、運用性を高めるために装置を止めることなくオンラインでの保守交換を行うようになっている。
【０００５】
しかし、現行の技術では２点間の通信経路で故障が発生した場合、故障を検出することはできるが、通信系路上のどこで故障が発生しているかを容易に特定するすべがない。
よって、オンライン保守交換時に誤って正常なアナログ信号通信機能を有する装置構成単位（以下UNITと呼ぶ）を交換してしまい、人為的に２重故障を起こしシステムをダウンさせる、もしくはシステムの性能を低下させかねないという問題がある。
【０００６】
そこで、本発明の目的は、通信系路上のどこで故障が発生しているかを容易に特定することができる通信障害特定方法及び通信障害特定装置を提供することにある。
【課題を解決するための手段】
【０００７】
上記課題を解決するため、請求項１に記載の発明は、アナログ信号の立ち上がりエッジの電圧がリファレンス電圧の異なる二つのコンパレータの各リファレンス電圧をそれぞれ超えるまでにかかる時間を測定し、その時間に基づいて前記アナログ信号の出力側から通信障害が発生した箇所までの距離を特定することを特徴とする。
【０００８】
請求項１に記載の発明によれば、アナログ信号の立ち上がりエッジの電圧がリファレンス電圧の異なる二つのコンパレータの各リファレンス電圧をそれぞれ超えるまでにかかる時間を測定し、その時間に基づいてアナログ信号の出力側から通信障害が発生した箇所までの距離を特定することで、通信系路上のどこで故障が発生しているかを容易に特定することができる。
【０００９】
請求項２に記載の発明は、請求項１に記載の発明において、あらかじめリファレンス電圧が設定された設定テーブルに伝送線路にあったパラメータを設定し、設定したパラメータの範囲を超える結果が得られた場合にエラーを検出することを特徴とする。
【００１０】
請求項２に記載の発明によれば、設定したパラメータの範囲を超える結果が得られた場合にエラーを検出することにより、通信系路上のどこで故障が発生しているかを容易に特定することができ、精度の向上を図ることができる。
【００１１】
請求項３に記載の発明は、請求項１または２に記載の発明において、設定テーブルのパラメータを伝送距離に合わせて修正し、修正されるパラメータと、予め格納されたパラメータとの差が一定の範囲を超える結果が得られた場合にエラーを検出することを特徴とする。
【００１２】
請求項３に記載の発明によれば、修正されるパラメータと、予め格納されたパラメータとの差が一定の範囲を超える結果が得られた場合にエラーを検出することにより、通信系路上のどこで故障が発生しているかを容易に特定することができ、精度の向上を図ることができる。
【００１３】
請求項４に記載の発明は、アナログ信号を出力する装置の通信障害特定装置において、前記アナログ信号の出力電圧を参照するための第一のコンパレータと、前記第一のコンパレータとは異なるリファレンス電圧が設定される第二のコンパレータと、前記アナログ信号の立ち上がりエッジの電圧が前記第一及び第二のコンパレータの各リファレンス電圧をそれぞれ超えるまでにかかる時間を測定する時間測定回路とを有し、前記各リファレンス電圧を超えるまでの時間差によって通信障害発生箇所が経路上のいずれにあるのかを特定することを特徴とする。
【００１４】
請求項４に記載の発明によれば、異なるリファレンス電圧が設定される第一、第二のコンパレータと、アナログ信号の立ち上がりエッジの電圧が第一及び第二のコンパレータの各リファレンス電圧をそれぞれ超えるまでにかかる時間を測定し、その時間差によって通信障害発生箇所が経路上のいずれにあるのかを特定することにより、通信系路上のどこで故障が発生しているかを容易に特定することができる。
【００１５】
請求項５に記載の発明は、アナログ信号を出力する装置の通信障害特定装置において、前記アナログ信号の出力電圧を参照するための第一のコンパレータと、前記第一のコンパレータとは異なるリファレンス電圧が設定される第二のコンパレータと、それぞれのコンパレータに入力するリファレンス電圧を設定できる設定テーブルと、前記アナログ信号の立ち上がりエッジの電圧が前記第一及び第二のコンパレータの各リファレンス電圧をそれぞれ超えるまでにかかる時間を測定する時間測定回路とを有し、前記各リファレンス電圧を超えるまでの時間差によって通信障害発生箇所が経路上のいずれにあるのかを特定することを特徴とする。
【００１６】
請求項５に記載の発明によれば、リファレンス電圧を設定できる設定テーブルと、異なるリファレンス電圧が設定される第一、第二のコンパレータと、アナログ信号の立ち上がりエッジの電圧が第一及び第二のコンパレータの各リファレンス電圧をそれぞれ超えるまでにかかる時間を測定し、その時間差によって通信障害発生箇所が経路上のいずれにあるのかを特定することにより、通信系路上のどこで故障が発生しているかを容易に特定することができ、精度の向上を図ることができる。
【００１７】
請求項６に記載の発明は、請求項４または５に記載の発明において、あらかじめリファレンス電圧が設定された設定テーブルに更に伝送線路にあったパラメータを設定し、設定したパラメータの範囲を超える結果が得られた場合にエラーを検出する結果判定回路を有することを特徴とする。
【００１８】
請求項６に記載の発明によれば、あらかじめリファレンス電圧が設定された設定テーブルに更に伝送線路にあったパラメータを設定し、設定したパラメータの範囲を超える結果が得られた場合にエラーを検出する結果判定回路を有することにより、通信系路上のどこで故障が発生しているかを容易に特定することができ、精度の向上を図ることができる。
【００１９】
請求項７に記載の発明は、請求項４または５に記載の発明において、設定テーブルのパラメータを伝送距離に合わせて修正するフィードバック回路を設け、修正されるパラメータと、前記設定テーブルに予め格納されたパラメータとの差が一定の範囲を超える結果が得られた場合にエラーを検出するようにしたことを特徴とする。
【００２０】
請求項７に記載の発明によれば、設定テーブルのパラメータを伝送距離に合わせて修正するフィードバック回路を設け、修正されるパラメータと、設定テーブルに予め格納されたパラメータとの差が一定の範囲を超える結果が得られた場合にエラーを検出するようにしたことにより、通信系路上のどこで故障が発生しているかを容易に特定することができ、精度の向上を図ることができる。
【発明の効果】
【００２１】
本発明によれば、アナログ信号の立ち上がりエッジの電圧がリファレンス電圧の異なる二つのコンパレータの各リファレンス電圧をそれぞれ超えるまでにかかる時間を測定し、その時間に基づいてアナログ信号の出力側から通信障害が発生した箇所までの距離を特定することで、通信系路上のどこで故障が発生しているかを容易に特定することができる。
【発明を実施するための最良の形態】
【００２２】
本発明に係る通信障害特定方法の一実施の形態は、アナログ信号の立ち上がりエッジの電圧がリファレンス電圧の異なる二つのコンパレータの各リファレンス電圧をそれぞれ超えるまでにかかる時間を測定し、その時間に基づいてアナログ信号の出力側から通信障害が発生した箇所までの距離を特定することを特徴とする。
【００２３】
本発明に係る通信障害特定方法の他の実施の形態は、上記構成に加え、あらかじめリファレンス電圧が設定された設定テーブルに伝送線路にあったパラメータを設定し、設定したパラメータの範囲を超える結果が得られた場合にエラーを検出することを特徴とする。
【００２４】
本発明に係る通信障害特定方法の他の実施の形態は、上記構成に加え、設定テーブルのパラメータを伝送距離に合わせて修正し、修正されるパラメータと、予め格納されたパラメータとの差が一定の範囲を超える結果が得られた場合にエラーを検出することを特徴とする。
【００２５】
本発明に係る通信障害特定装置の一実施の形態は、アナログ信号を出力する装置の通信障害特定装置において、アナログ信号の出力電圧を参照するための第一のコンパレータと、第一のコンパレータとは異なるリファレンス電圧が設定される第二のコンパレータと、アナログ信号の立ち上がりエッジの電圧が第一及び第二のコンパレータの各リファレンス電圧をそれぞれ超えるまでにかかる時間を測定する時間測定回路とを有し、各リファレンス電圧を超えるまでの時間差によって通信障害発生箇所が経路上のいずれにあるのかを特定することを特徴とする。
【００２６】
本発明に係る通信障害特定装置の他の実施の形態は、アナログ信号を出力する装置の通信障害特定装置において、アナログ信号の出力電圧を参照するための第一のコンパレータと、第一のコンパレータとは異なるリファレンス電圧が設定される第二のコンパレータと、それぞれのコンパレータに入力するリファレンス電圧を設定できる設定テーブルと、アナログ信号の立ち上がりエッジの電圧が第一及び第二のコンパレータの各リファレンス電圧をそれぞれ超えるまでにかかる時間を測定する時間測定回路とを有し、各リファレンス電圧を超えるまでの時間差によって通信障害発生箇所が経路上のいずれにあるのかを特定することを特徴とする。
【００２７】
本発明に係る通信障害特定装置の他の実施の形態は、上記構成に加え、あらかじめリファレンス電圧が設定された設定テーブルに更に伝送線路にあったパラメータを設定し、設定したパラメータの範囲を超える結果が得られた場合にエラーを検出する結果判定回路を有することを特徴とする。
【００２８】
本発明に係る通信障害特定装置の他の実施の形態は、上記構成に加え、設定テーブルのパラメータを伝送距離に合わせて修正するフィードバック回路を設け、修正されるパラメータと、設定テーブルに予め格納されたパラメータとの差が一定の範囲を超える結果が得られた場合にエラーを検出するようにしたことを特徴とする。
【００２９】
本実施形態によれば、信号出力時に第一、第二のコンパレータの各リファレンス電圧を越える時間を測定し、得られた値と設定テーブルに設定された値とを比較し、設定テーブルに設定された時間の閾値を超える範囲以上にずれがあった場合にエラーを検出する。また、その時の、第一、第二のコンパレータのリファレンス電圧を越える時間によって、故障箇所までの距離を求めそれによって故障箇所が信号出力ＵＮＩＴ内なのか伝送線路上なのか受信側ＵＮＩＴなのかの切り分けを行う。この結果、通信系路上のどこで故障が発生しているかを容易に特定することができる。
【００３０】
なお、上述した実施の形態は、本発明の好適な実施の形態の一例を示すものであり、本発明はそれに限定されることなく、その要旨を逸脱しない範囲内において、種々変形実施が可能である。
【実施例１】
【００３１】
次に、本発明に係る通信障害特定方法を適用した通信障害特定装置の実施例について図面を参照して詳細に説明する。
図１は、本発明に係る通信障害特定方法を適用した通信障害特定装置としての２点間通信障害特定回路のブロック図の一例である。図２は、図１に示した通信障害特定装置を用いた通信システムの全体構成の一例である。
図２において、ＵＮＩＴ０はアナログ信号通信装置１及び２点間通信障害特定回路２からなる。同様にＵＮＩＴ１はアナログ信号通信装置１１及び２点間通信障害特定回路１２からなる。
【００３２】
尚、ここで説明するアナログ信号通信装置１、１１とはアナログ信号出力だけに特化している装置のみだけではなく、アナログ信号を出力できる装置全般を指すものとする。
図１に示す２点間通信障害特定回路について詳細に説明する。
【００３３】
２点間通信障害特定回路１００は、アウトプットバッファＯＰＢ１０１、コンパレータＣＰ１０２、１０３、時間測定回路１０４、設定テーブル１０５、リファレンス電圧発生回路１０６、及び結果判定回路１０７からなる。
【００３４】
図には示されないアナログ信号通信装置からの信号が時間アウトプットバッファＯＰＢ１０１の入力端子、時間測定回路１０４の入力端子Ｐ１６及び結果判定回路１０７の入力端子Ｐ２に入力される。アウトプットバッファＯＰＢ１０１の出力端子は別ユニット（ＵＮＩＴ１）に接続されると共に、コンパレータＣＰ１０２、１０３の非反転入力端子に接続されている。コンパレータＣＰ１０２の出力端子は、時間測定回路１０４の入力端子Ｐ１５に接続され、コンパレータＣＰ１０３の出力端子は、時間測定回路１０４の入力端子Ｐ１４に接続されている。時間測定回路１０４の出力端子Ｐ１２は結果判定回路１０７の入力端子Ｐ３に接続されている。時間測定回路１０４の入出力端子Ｐ１３は設定テーブル１０５の入出力端子Ｐ５に接続されている。設定テーブル１０５の入出力端子Ｐ７には図には示されていないアナログ信号通信装置の入出力端子に接続され、入出力端子Ｐ６は結果判定回路１０７の入出力端子Ｐ４に接続されている。設定テーブル１０５の出力端子Ｐ８はリファレンス電圧発生回路１０６の入力端子Ｐ９に接続されている。リファレンス電圧発生回路１０６の出力端子のＰ１０はコンパレータＣＰ１０３の反転入力端子に接続され、出力端子Ｐ１１はコンパレータＣＰ１０２の反転入力端子に接続されている。結果判定回路１０７の出力端子Ｐ１は図には示されていないアナログ信号通信装置に接続されている。
【００３５】
コンパレータＣＰ１０２、１０３は、アナログ信号通信装置の出力フィードバック電圧とリファレンス電圧発生回路１０６から発生される電圧とを比較し、出力フィードバック電圧がリファレンス電圧を超えたら時間測定回路１０４へ信号を出力する回路である。
【００３６】
時間測定回路１０４は、アナログ信号通信装置から信号が出力されてからコンパレータ１０２、１０３からの信号を受信するまでの時間を測定する回路である。
【００３７】
設定テーブル１０５は、コンパレータＣＰ１０２、１０３に入力するリファレンス電圧、結果判定回路１０７で使用する各種パラメータ等を、アナログ信号通信装置から設定することができる機能を有する回路である。
【００３８】
リファレンス電圧発生回路１０６は、コンパレータＣＰ１０２、１０３に入力するための電圧を設定テーブル１０５に設定されているパラメータを参照して生成する回路である。
【００３９】
結果判定回路１０７は、時間測定回路１０４によって得られた結果と設定テーブル１０５に設定されているパラメータとを比較して、エラーがＵＮＩＴ内部、伝送線路上、接続先ＵＮＩＴのどこで発生したかの判定を行う回路である。また、得られた結果をアナログ信号通信装置に伝達する。
【００４０】
〔動作の説明〕
次に図１に示した２点間通信障害特定回路の動作を図３、４を参照して説明する。
図３は、２点間通信障害特定回路に信号名を付したブロック図である。図４は、図３に示した２点間通信障害特定回路に用いられるアウトプットバッファの入力信号ＳＩＧ＿ＳＴＢ及び出力信号ＳＩＧ＿ＯＵＴの波形を示す図である。
【００４１】
図３に示した２点間通信障害特定回路において、アナログ信号出力部３００から信号ＳＩＧ＿ＳＴＢが出力されると、その信号ＳＩＧ＿ＳＴＢは、アウトプットバッファＯＰＢ３０１、時間測定回路３０２及び結果判定回路３０７に伝播する。
時間測定回路３０２は信号ＳＩＧ＿ＳＴＢの立ち上がりエッジで時間測定を開始する。また、結果判定回路３０７は信号ＳＩＧ ＳＴＢの立ち上がりによって回路を有効にする。
【００４２】
信号ＳＩＧ＿ＳＴＢが入力されたアウトプットバッファＯＰＢ３０１から出力される信号ＳＩＧ＿ＯＵＴは、通常図４のような波形となる。
【００４３】
ここで、図４において信号ＳＩＧ ＯＵＴの波形が一直線状に増加しない点について述べる。
一般に、伝送線路上の波形は、終端からの反射波と出力波との合成波となる。反射波は大きく開放端反射（通常時及び断線時）と固定端反射（短絡時）との２種類に分類される。
開放端反射：開放端での反射は出力波がそのまま反射される。このため、伝送線路上でその波形を観測すると、出力波によって１／２Ｖｍａｘまで一度上昇し反射波が観測ポイントまで戻ってくまでその値を維持する。その後反射波が戻ってきた時から再び上昇しＶｍａｘに到達する（図５（ｂ）、図５（ｄ）、図５（ｆ）がこれにあたる。断線によって開放端までの距離が短くなればなるほど、１／２Ｖで維持される時間が短くなる。）。
【００４４】
固定端反射：固定端の反射では出力波を反転したものが反射される。このため、伝送線路上で波形を観測すると出力波によって一度Ｖが上昇するが、反射波が戻ってきた時点で打ち消されＶ＝０となる。
【００４５】
図３に戻って、信号ＳＩＧ＿ＯＵＴはコンパレータＣＰ３０５、３０６にフィードバックされている。リファレンス電圧発生回路３０４は、設定テーブル３０３に指定してある電圧ＲＥＦ ＨをコンパレータＣＰ３０６に供給し、電圧ＲＥＦ ＬをコンパレータＣＰ３０５に供給する。
【００４６】
コンパレータＣＰ３０５は、信号ＳＩＧ＿ＯＵＴの電圧がリファレンス電圧発生回路３０４から入力されるＲＥＦ＿Ｌの電圧を超えた時から信号ＳＩＧ＿Ａを時間測定回路３０２に出力する。
時間測定回路３０２は、信号ＳＩＧ＿ＳＴＢの立ち上がりから信号ＳＩＧ＿Ａの立ち上がりまでの時間を信号ＴＩＭＥ＿Ａとして結果判定回路３０７に報告する。
【００４７】
コンパレータＣＰ３０６は、コンパレータＣＰ３０５と同様に、信号ＳＩＧ＿ＯＵＴの電圧がリファレンス電圧発生回路３０４から入力されるＲＥＦ＿Ｈの電圧を超えた時から信号ＳＩＧ＿Ｂを時間測定回路３０２に出力する。
時間測定回路３０２は、信号ＳＩＧ＿ＳＴＢの立ち上がりから信号ＳＩＧ＿Ｂの立ち上がりまでの時間を信号ＴＩＭＥ＿Ｂとして結果判定回路３０７に報告する。
結果判定回路３０７は、時間測定回路３０４から受け取った信号ＴＩＭＥ＿Ａ、ＴＩＭＥ＿Ｂの値と設定テーブル３０３に与えられている正常時の信号ＴＩＭＥ＿Ａ、ＴＩＭＥ＿Ｂの値とを比較し、比較結果が設定テーブル３０３に設定されている閾値を超えた場合にエラーを検出する。
【００４８】
また、結果判定回路３０７は、エラーを検出した際に、時間測定回路３０２から受け取った信号ＴＩＭＥ＿Ａ、ＴＩＭＥ＿Ｂの値と設定テーブル３０３に与えられている故障箇所判定するための信号ＴＩＭＥ＿Ａ、ＴＩＭＥ＿Ｂとの差と距離の関係を示すパラメータとの比較から故障箇所の判定を行い、結果を図には示されていない上位装置に報告する。
【００４９】
図５（ａ）〜（ｊ）は、２点間通信障害特定回路の正常時及び故障検出時の説明図である。図５（ａ）は、図１に示した２点間通信障害特定回路の正常時の観測ポイントを示す説明図であり、図５（ｂ）は、図５（ａ）に示した観測ポイントにおける信号ＳＩＧ ＯＵＴの波形である。図５（ｃ）は、図１に示した２点間通信障害特定回路の断線時の観測ポイントを示す説明図であり、図５（ｄ）は、図５（ｃ）に示した観測ポイントにおける信号ＳＩＧ ＯＵＴの波形である。図５（ｅ）は、図１に示した２点間通信障害特定回路の他の断線時の観測ポイントを示す説明図であり、図５（ｆ）は、図５（ｅ）に示した観測ポイントにおける信号ＳＩＧ ＯＵＴの波形である。図５（ｇ）は、図１に示した２点間通信障害特定回路の短絡時の観測ポイントを示す説明図であり、図５（ｈ）は、図５（ｇ）に示した観測ポイントにおける信号ＳＩＧ ＯＵＴの波形である。図５（ｉ）は、図１に示した２点間通信障害特定回路の他の短絡時の観測ポイントを示す説明図であり、図５（ｊ）は、図５（ｉ）に示した観測ポイントにおける信号ＳＩＧ ＯＵＴの波形である。
【００５０】
図４から明らかのように経路上のどこかが断線した場合は断線箇所がアウトプットバッファＯＰＢに近ければ近いほど信号ＴＩＭＥ＿Ａと信号ＴＩＭＥ＿Ｂとの時間差が小さくなる。また、経路上のどこかが短絡した場合は、信号ＴＩＭＥ＿Ｂが検出されることがなくなり、また、短絡箇所が近ければ閾値（電圧ＲＥＦ Ｌ）以下となるので信号ＴＩＭＥ＿Ａも検出されなくなる。
【００５１】
以上において、本実施例によれば、リファレンス電圧の異なるコンパレータＣＰを２段もち、各コンパレータＣＰに設定された各リファレンス電圧をアナログ信号の立ち上がりエッジが超えるまでにかかる時間を測定することで、アナログ信号の出力側から通信障害が発生した箇所までの出力側からの距離を特定できる。これによって、通信系路上のどこで故障が発生しているかを容易に特定することができる。
【００５２】
また本実施例によれば、２点間通信の故障時に故障ＵＮＩＴを正確に判断することができ、故障によるオンライン交換時に故障ＵＮＩＴを誤ることなく交換できる。それによって、故障ＵＮＩＴを誤って交換することによって起こりうる障害復旧の遅れや、システムダウン、性能低下といった問題を回避することができる。
【図面の簡単な説明】
【００５３】
【図１】本発明に係る通信障害特定方法を適用した通信障害特定装置としての２点間通信障害特定回路のブロック図の一例である。
【図２】図１に示した通信障害特定装置を用いた通信システムの全体構成の一例である。
【図３】２点間通信障害特定回路に信号名を付したブロック図である。
【図４】図３に示した２点間通信障害特定回路に用いられるアウトプットバッファの入力信号ＳＩＧ＿ＳＴＢ及び出力信号ＳＩＧ＿ＯＵＴの波形を示す図である。
【図５】（ａ）〜（ｊ）は、２点間通信障害特定回路の正常時及び故障検出時の説明図である。
【符号の説明】
【００５４】
１００    ２点間通信障害特定回路
１０１    アウトプットバッファＯＰＢ
１０２、１０３    アウトプットバッファＯＰＢ
１０４    時間測定回路
１０５    設定テーブル
１０６    リファレンス電圧発生回路
１０７    結果判定回路
【図１】
2008182342.tif 000003
【図２】
2008182342.tif 000004
【図３】
2008182342.tif 000005
【図４】
2008182342.tif 000006
【図５】
2008182342.tif 000007